(57)【要約】【課題】肝グルコース処理障害の患者にインスリンを送達する装置の提供。【解決手段】炭水化物含有食の経口摂取に付随して一連のインスリンパルスを送り、かつ、該患者における循環グルコースレベルがはじめは上昇し、次いで、５０ｍｇ/ｄｌ以上の量だけ降下するように、各パルスのインスリン量、パルスの間隔及び該患者に各パルスを送る時間が選ばれている。【選択図】図１
2008272503.tif 000002
【特許請求の範囲】
【請求項１】
老人性痴呆を患う患者にインスリンを送達するための装置であって、
循環グルコースのレベルを測定するための循環グルコースレベル測定装置であって、炭水化物含有食の経口摂取に付随する所定レベルからの循環グルコースレベルの増大を測定し、一連のインスリンパルスの静脈内注入により生じる引き続く循環グルコースレベルの低下を測定する装置と、
インスリンを、一連のパルスで注入するためのインスリン送達手段と、
前記炭水化物含有食の経口摂取に付随する循環グルコースレベルのはじめの上昇を示す検出出力を受けると、循環グルコースレベルが５０ｍｇ/ｄｌ以上の量だけ降下するように前記インスリン送達手段を作動させる制御部と、
を有することを特徴とする装置。
【請求項２】
各パルスのインスリン量が約１０〜２００ミリ単位/ｋｇ体重である、請求項１記載の装置。
【請求項３】
前記制御部が、各パルスのインスリン量、パルスの時間間隔及び各パルスを該患者に送る時間を制御する、請求項１記載の装置。
【請求項４】
１回の前記一連のパルスが６〜１８０分間送られる、請求項１記載の装置。
【請求項５】
前記一連のパルスの各パルスが３〜３０分毎に送られる、請求項１記載の装置。
【請求項６】
前記炭水化物含有食が、４０〜１００ｇのグルコースを含有している、請求項１記載の装置。
【発明の詳細な説明】
【技術分野】
【０００１】
本発明は、インスリンを注入する装置に関し、特に、老人性痴呆を患う患者にインスリンを送達するための装置に関する。
【背景技術】
【０００２】
糖尿病網膜症は、失明の主因である。早期発見とレーザ治療の大幅な進歩がこの糖尿病の慢性合併症に対して著しく影響してきたが、糖尿病網膜症に罹っている糖尿病患者の数は依然として増えている。
グルコース制御は、典型的には、血液試験で測定され、これにより長年糖尿病患者の所望のインスリン治療結果となっているヘモグロビンＡ１cのレベルが求められる。しかしながら、厳格な循環グルコース制御は糖尿病網膜症又は糖尿病末梢神経障害の発症又は進行から防御する治験参加者の２５％以上が不十分であったことが明らかである。
糖尿病患者の死亡の主因は、様々な形の心臓血管疾患である。既存の証明からは、主に冠状動脈のアテローム性動脈硬化や自律神経ニューロパシーに伴う心不全に特に感受性があることが示されている。代謝成分が糖尿病患者の心臓血管疾患の様々な形に存在することはほとんど疑われていない。糖尿病患者がしばしば発症する心機能障害（１回拍出量、心係数及び駆出分画が少なく、左心室終末拡張期血圧が高い）は、少なくとも部分的には代謝異常によって説明することができ、適切なインスリン投与によって心臓代謝の正常なパターンが回復し得るので、インスリン欠乏の二次的なものと考えられる（Avogaroら, Am J Physiol 1990, 258:E606-18）。
【０００３】
糖尿病腎症の病態生理学は、一部が理解されているだけである。糖尿病腎症において最も一貫した形態学的知見は、メサンギウム腫大であり、これは、糸球体毛細血管を圧縮し、糸球体内血行動態を変更し得る。
糖尿病は、非外傷性切断の第一の原因である。切断の一般的な原因は、治癒せず、壊死や壊疽に進行する創傷である。一般的には、糖尿病患者は治癒することや感染症を克服することが非常に困難であることが認められている。一般的には糖尿病、特に循環グルコース制御が悪いことは、糖尿病患者の創傷修復が悪いことに因果関係があると考えられ、エネルギー不足や全身の倦怠感の原因でもある。
【０００４】
Diabetes mellitus and the risk of dementia A. Ott, PR. Stolk, F. Van Harskamp, The Rotterdam Study, Neurology, 1999, vol. 53, pp. 1937-1942に報告されているように、糖尿病患者は、痴呆の発症の危険性が高い。糖尿病に罹患していることは、ほぼ、痴呆の発症の危険性を2倍にしている(危険性は、1.9倍高い)。アルツハイマー病にかかる糖尿病患者の危険性は、同様に、ほぼ2倍となる。そして、インスリンを接種する糖尿病患者においては、非糖尿病患者におけるよりも、4倍を超える危険性がある。性別、年齢、教育レベル及びその他の測定された要因による影響を考慮しても、これらの知見には変わりはなかった。従って、糖尿病は、アルツハイマー病を含めて、痴呆の進展に対する危険因子であると結論付けることができる。
【発明の開示】
【発明が解決しようとする課題】
【０００５】
求められていることは、代謝を回復させ、ピルビン酸デヒドロゲナーゼ活性を高めることにより網膜グルコースと神経グルコースの酸化を亢進し、網膜症と中枢神経系疾患を治療し、１回拍出量を増加し得る装置であって、これにより心係数を改善し、駆出分画を増加し、心室終末拡張期血圧を降下し、もって、糖尿病患者における心機能を改善するとともに生活の質を改善することである。心臓病をもつ糖尿病患者に共通の心機能障害を有意に逆転させる同様の装置も求められている。その装置もヘモグロビンＡ１cで測定された場合の血中グルコース制御を改善することができなければならない。更に、代謝過程全体を神経脈管反応性、糸球体内圧及び血行動態に対する作用の多重性によって改善し、明白な糖尿病腎症の進行を抑制し、糸球体内血行動態を抑制して糖尿病腎症の進行を抑制すると共にＥＳＲＤ発症の危険性を低下させる同様の装置も求められている。更に、罹患した領域のグルコース酸化を亢進させ、従って創傷を治療するために少量の酸素を消費しつつ多量のエネルギーを供給し、治癒を促進し、糖尿病患者にも非糖尿病患者にも下肢切断を回避する同様の装置が求められている。老人性痴呆を起こさせる多くの病気のいずれかに罹患している糖尿病患者の脳における代謝を改善し、老人性痴呆に罹患している患者の精神機能を改善するための装置が求められている。
【０００６】
本件明細書における記載の参考とする米国特許第4,826,810号明細書には、炭水化物含有食の経口摂取後に、インスリンパルスを患者に送達する方法が記載されている。このインスリンパルスは、遊離(free)インスリン濃度における一連のピークを生じさせ、それらのピーク間における遊離インスリン濃度の最小値を連続的に増大するように調整されている。この方法を、臨床目的の治療として実行可能な処置とするには、前記ピークを決定し、患者の肝臓における摂取炭水化物処理能力を活性化することを確実にするための正確なレベルが存在することを確保するための、単純でかつ安価な遊離インスリンの測定方法が必要がある。「遊離」インスリンを測定する唯一の実行可能な方法は、高価であり、時間がかかる、即ち、結果を得るためには、しばしば、数日を必要とする。一方、肝臓が活性されているかどうかは、分からない。必要なことは、パルスを投与しかつ遊離インスリンのベースラインが上昇している間に、リアルタイムで、実際に、患者の肝臓が活性化されたことを決定できる方法である。
【課題を解決するための手段】
【０００７】
本発明は、肝グルコース処理障害の患者にインスリンを送達する装置を提供する。該装置は、炭水化物含有食の形のグルコースの経口摂取に付随した時間にインスリンの一連のパルスを患者に送達する。各パルスのインスリン量、パルスの間隔及び患者のような被検者に各パルスを送る時間は、肝グルコース処理が患者において回復するように選ばれる。炭水化物含有食の経口摂取後のはじめには、患者の循環血中グルコースレベルが上昇する。
患者において循環グリコースレベルが上昇すると同時に又はその後すぐに、インスリン送達のための第１のパルスを投与する。このパルスによって、図３において、ピークＥで示される血液中のピーク「遊離」インスリン濃度が生じる。Ｙまで、約９０％「遊離」インスリン濃度が低下した時に、第２のパルスを投与すると、ピークＦまで上昇する。「遊離」インスリン濃度が、再び、Ｚまで約９０％低下したら、次のパルスを投与する。これによって、ピークＧまで上昇する。この工程を繰り返すことによって、直線Ｈで示されるピーク間の「遊離」インスリン濃度が生じる。パルスを、ピーク間の「遊離」インスリン濃度が、１パルスから次のパルスで、１０〜５００ μ単位／ml増大するように制御する。肝臓を活性化するには、炭水化物含有食の経口摂取の後のピーク間「遊離」インスリン濃度を増大して、肝グルコース処理障害の患者において、循環血糖レベルを５０ｍｇ／ｄｌ低下させることが必要である。しかしながら、ピーク間の「遊離」インスリンレベルが増大したとしても、そのレベルが、肝臓を活性化するのに十分早く上昇しないことがしばしば発生する。このような状況においては、循環グルコースの低下は、５０ｍｇ/ｄｌに達しない。
【０００８】
肝グルコース処理の活性化に対応してインスリンの最小の量を投与することが望ましいが、患者における肝グルコース処理を活性化するのに必要なインスリンの量は、患者毎に異なり、また、同一の患者に対しても、日毎に異る。ある一日における同一患者に対して、パルス治療は、肝グルコース処理の活性化を成功裏に達成し、一方、次の日において、同一の患者が、活性化を達成するために、更に有意に、多くのパルス当たりのインスリン又はより頻繁なパルスを要求する。血液中の「遊離」インスリンレベルの測定は、高価でありかつ手間のかかる方法であり、リアルタイムで必要な情報を提供できない。本明細書では、パルスがもはや投与する必要がなくなった時の成功裏の患者の反応及び信号を積極的に確認できるようにするために、その患者が実際に、肝グルコース処理を活性化した時点をリアルタイムで測定する方法が開示される。
【０００９】
肝グルコース処理が回復している患者においては、肝グルコース処理が肝臓において回復した結果として、直接、循環血糖レベルが５０ｍｇ/ｄｌ以上低下する。この循環血糖信号は、容易にかつ安価に入手でき、医者の援助なしで、自宅の健康管理環境において、患者によって行うことができ、そして、肝臓機能の回復をリアルタイムで情報として提供する。患者は、通常よく訓練されており、操作及び結果の評価において医者の援助を必要とすることなく、患者自身の循環グリコースレベルを十分得ることができる。肝臓が活性化したかどうかを決定する他の手段は、高価であり、リアルタイムで情報を提供せず、医者の評価を要し、又は自宅の健康管理環境において使用できない。一連のインスリンパルスにおいて、少なくとも、２パルスを超える必要がある。例えば、３パルス、４パルス、５パルス又は６パルス等である。好適実施態様においては、該装置は、１時間にわたって、１０回の一連のパルスを送るポンプである。該ポンプは、好ましくは、各パルスのインスリン量、各パルスを送る時間、及びパルス間の時間を制御するプログラム可能なプロセス又はユニットによって制御される。循環血中グルコースレベルは、フィンガースティック法を含む適切な循環グルコース測定法によって測定し得る。
【発明を実施するための最良の形態】
【００１０】
従って、本発明は、一定の間隔で糖尿病患者に一連のインスリンパルスを注入するための注入装置である。同時に、患者は炭水化物含有食を経口摂取し、適切な肝グルコース処理が回復したことを保証するために循環グルコース測定が定期的に行われる。
患者が低血糖になることを予防するために患者が液体又は食品含有グルコースを消費する。グルコースを含有する好ましい液体又は食品は、４０〜１００ｇのグルコースに変える１１０〜２８０ｇ（４〜１０オンス）の糖尿病患者用ＧＬＵＣＯＬＡ（グルコラ）であるが、グルコースを含有する、ケーキやパンを含むがこれらに限定されない同様の種類の液体又は高血糖食品を患者に投与することができる。非糖尿病患者の場合、経口摂取したグルコース量は多く、各患者に対して調整することが必要である。
【００１１】
本発明の好適実施態様においては、プログラム可能なインスリンポンプは、正確に測定されたパルスで静脈内インスリンを送達するようにプログラムされ、最低量の時間内に各々のパルスを送達するようにプログラムされ、各パルス間の時間間隔を可能にするようにプログラムされる。しかしながら、注射器による簡便な注入を含む正確に測ったインスリン量を注入する方法も許容し得る。好ましいインスリン送達手段は、患者が低血糖にならないようにするのに十分な血中のグルコースが存在する限り、予定の間隔で正確に測ったインスリンパルスを与えることができるプログラム可能な注入装置である。注入装置は、また、用いられる注入部位の静脈に悪影響を及ぼさずに、できる限り短時間でインスリンパルスを送ることができることが好ましい。好ましい１つの注入装置は、バイオニカＭＤ-１１０である。しかしながら、簡便な注射器を含むあまり正確でない装置やより速度の遅い装置も、パルスを送達するとともに必要とする注入プロファイルを得ることができる。
【００１２】
実施態様においては、プログラム可能なハンドヘルドポンプにはインスリンを注入する慣用の医療用注射器が用いられる。図１を参照すると、注射器１１は、クリップ１３と１４でポンプに結合し、プランジャ１５は注射器ドライバ１６で可動する。注射器ドライバは、当業者に既知の多くの可能なアクチュエータ設定のいずれによっても駆動するアクチュエータである。慣用の注入チューブ接続装置を用いて注入チューブを注射器に接続することができる。プログラムした値を、キーボード１７によって、ポンプ内のファームウェアによって又はハイレベルコンピュータへのコミュニケーョンズリンク１８を経るソフトウェア又は他の適切な入力法によってコントロールプロセッサに入力し得る。そのコミュニケーションズリンクを用いてアラームと状態メッセージをハイレベルコンピュータに許容しうるコミュニケーションズプロトコールとメディアムによって送ることができる。
【００１３】
コミュニケーションズリンクを通じてポンプに直接連携するように構成された循環グルコース測定装置は、循環グルコースの値を適宜提供できる。別に、ワイヤレスコミュニケーションズシステムは、操作者の介在することなく、血糖値メーター等の循環グルコースセンサー（図示せず）からの情報を自動的にポンプへ送付する。典型的な循環グルコースセンサーは、フィンガースティック装置、近赤外線スペクトル又は高周波を使用する非侵入型装置、及び移植センサー等が挙げられるが、これらに限定されるものではない。別に、循環グルコース信号は、患者における膵臓β細胞電気活性をモニターして、患者のインスリン要求及び循環グルコースレベルを測定するための移植可能なシステムから得られる。循環グルコースレベルの変化を直接又は間接的に正確に測定できるものであれば、その他の方法も採用できる。コミュニケーションズリンクは、アラーム又は現状に関するメッセージを、許容可能なコミュニケーションプロトコール及び媒体を経由して、よりハイレベルコンピュータに送付することができる。
【００１４】
ポンプが可動すると、プログラムしたインスリンパルスをプログラムした時間で患者に分配される。インスリンは、注入チューブ１９を通ってニードル１０に送られ、患者の便利などこにでも、好ましくは前腕に静脈内挿入される。各パルスを送る時間は、できるだけ短く、少なくとも１分未満、好ましくは秒のオーダーでなければならない。ポンプの状態、アラームの状態及び循環グルコースレベルは、システムパラメータの中で特にディスプレイパネル１２に表示することができる。
好適実施態様においては、患者の循環グルコースレベルを定期的に測定し、インスリンを送達するポンプのパラメータに対する変化を入力するために自動か又は手動で用いられる。次に、経口摂取したグルコースと注入したインスリンに対する調整は、高血糖症か又は低血糖症の望ましくない副作用を含まずに肝臓を活性化する所望の結果を与えるように行われる。
【００１５】
注射器型ポンプの代わりの他の実施態様においては、図２を参照すると、注入ポンプは、カートリッジ２２、ハウジング２４、プランジャ２５、インスリンを含有するカートリッジ内のレザバー領域２７、及びカートリッジを注入チューブ２１と、患者の便利などこにでも、好ましくは前腕に静脈内挿入される注入ニードル２０に接続するためのネック開口からなるカセットカートリッジポンプ装置を含んでいる。ポンプのメカニズムは、ギアリンケージ２６、モータ２８及びポンプ装置２９を含んでいる。カートリッジ２２がハウジング２４内で係合した場合、カートリッジは、カートリッジの雄ねじとハウジングの雌ねじの回転係合によって定位置に締め付けられる。カートリッジは、任意により、ガラス、セラミック、スチール又はプラスチックから製造されている。ポンプのメカニズムは、カセットカートリッジ内でピストン型プランジャ２５と２３を回転させるために用いられる。ポンプのメカニズムは、プランジャ又はハウジングを回転させるモータを含むがこれに限定されない方法、一連の『クリック』ポイントまでの協調手-眼運動又は手動の運動によって作動させることができる。プランジャは、カセットハウジングの壁に対して回転させる。プランジャ２５が回転して回るにつれて、装置がインスリンを患者に注入する。好ましくは、ポンプのメカニズムは、注入すべきインスリン量、パルス間のタイミング及び１回のパルスを注入する時間の長さを制御するプログラム可能なプロセッサによって制御される。レザバー領域の直径と各プランジャ回転のために移動するプランジャの深さは、安全性に可能な限り短時間に送られる非常に正確なパルスサイズを与えるように選ばれる。プログラムされた値は、キボード、ポンプ内のファームウエア、ハイレベルコンピュータからのコミュニケーションズリンク３０を経るソフトウェア又は他の適切な入力法によってコントロールプロセッサに入力し得る。血糖値の自動入力は、上記のように達成することができる。同一のコミュニケーションズリンクを用いてアラームと状態メッセージをハイレベルコンピュータに許容しうるコミュニケーションズプロトコールと媒体によって送ることができる。ポンプの状態、アラームの状態及び循環グルコースレベルは、システムパラメータの中で特にポンプ装置２９のディスプレイパネル１２に表示することができる。
【００１６】
肝グルコース処理には、肝細胞におけるグルコースの適切な吸収、肝細胞によるグルコースの酸化、肝細胞における肝グリコーゲンとしてグルコースの貯蔵、及び肝細胞によるグルコースの脂肪又はアラニン、アミノ酸への変換が含まれる。肝臓が適切なグルコース処理に必要とされる肝酵素（特に、肝グルコキナーゼ、ホスホフルクトキナーゼ、又はピルビン酸キナーゼ）を産生しない場合、肝処理は障害している。グルコース処理障害は、膵臓が十分なインスリンを生産しない患者、又はインスリン耐性が十分でない患者、又はこれらの要因の組合わせについての糖尿病１型又は２型患者の基本症状である。グルコースの摂取後、インスリンの静脈内投与によってさえ、グルコース酸化の低下、アラニン生産の低下、及び肝臓におけるタイムリー方式でのグリコーゲンの生成と蓄積がほとんどないことはすべて肝グルコース処理が障害していることを示している。グルコース負荷試験とヘモグロビンＡ１cの測定は、肝グルコース処理が障害していることを示すものとして使用し得る。
【００１７】
長期にわたる間欠静脈内インスリン治療（ＣIIIＴ）を用いた患者にインスリンパルスを送る方法の好適実施態様は次の通りである。手順の朝に、患者は、好ましくは採血椅子に座り、２３ゲージのニードル又はカテーテルを好ましくは手又は前腕の静脈に挿入して血管に到達させる。しかしながら、留置カテーテル、ＰＩＣＣライン又はPortaCathを含むそのような到達系も、必要とする結果を達成することができる。短時間の平衡後、インスリン注入を実際に開始する前に、患者は循環グルコース測定をするように頼まれる。注入装置を用いる前の患者の循環グルコースレベルは２００ｍｇ/ｄｌに近いことが好ましい。しかしながら、妊婦の糖尿病の場合には、試みる度に最大循環グルコースレベルを１８０ｍｇ/ｄｌ以下に保つようにする。
【００１８】
循環グルコースが測定され、患者の循環グルコース開始レベルが適切であった後、患者はグルコースを含有する液体又は食品を消費するように頼まれる。糖尿病患者に投与されるグルコース量は、６０〜１００ｇのグルコース又は１７０〜２８０ｇ（６〜１０オンス）のグルコラの範囲であるが、骨格が小さい人々には４０ｇのグルコース又は１１０ｇ（４オンス）のグルコラ程度であってもよい。しかしながら、患者に投与されるグルコース開始量は変動してもよい。非糖尿病患者においては、糖尿病患者よりグルコースが必要とされてもよいが、パルス送達に求められるものを含む他のパラメータは同じままである。次に、インスリンパルスが計画された時間間隔で、通常は６分毎に静脈内投与されるが、３分毎から３０分毎までの他の間隔も使用可能である。糖尿病患者の場合、各パルスのインスリン量は、１０〜２００ミリ単位/ｋｇ体重のインスリンであり、非糖尿病患者の場合はわずかに少ない。
【００１９】
循環グルコースは、できるだけしばしば測定される。指の刺し傷を用いる場合、患者には不快であることから、３０分毎に読み取ることが奨められる。侵襲性でない循環グルコースの測定方法が用いられる場合、読み取りは、好ましくは各インスリンパルスの注入後にしばしば行うことができる。循環グルコースレベルが測定される前の各グルコースパルスの注入後の１〜２分間が可能であることが奨められる。循環グルコースレベルは、典型的には、降下し始める前に約１００〜１５０ｍｇ/ｄｌだけ上昇する。肝グルコース処理が回復した患者においては、循環グルコースレベルが約５０〜１００ｍｇ/ｄｌ降下する。適切な肝グルコース処理をなお得なければならない患者においては、降下しないか５０ｍｇ/ｄｌよりかなり少なく降下する。肝グルコース処理の回復を意味する循環グルコースレベルの降下は、本発明の好ましい態様を使用してインスリンの第１のパルスの開始から１時間以内にほぼ達成されるが、必要とされる時間は１時間より短くても長くてもよい。５０ｍｇ/ｄｌの低下が生じるのに、２又は３時間以上かかるように、各パルスにおけるインスリンの量を低下し、又はパルス間の時間を長くすることができる。患者を活性化するのにかかる時間が長い程、患者は長時間にわたって、処置されることになり、患者にとっては、望ましい処置とは言えない。この循環グルコースの低下は、筋肉のグルコース利用の増加と肝臓によるグルコース使用の組合わせによってもたらされる。
【００２０】
肝臓の活性化が再確立したことを示す他のことは、循環グルコースレベルを５０ｍｇ/ｄｌ低下させるのに必要とされるインスリン量が時間と共に徐々に減少することである。ヘモグロビンＡ１cレベルの低下は、肝処理が回復した中間症状である。長期症状は、網膜症、腎症、神経障害、低血糖、心臓血管疾患、又は高血圧を含むがこれらに限定されない多くの糖尿病に関連した疾患の減少に見られる。
一連のインスリンパルスを投与するとともにグルコースを摂取する期間は、典型的には５６分続き（パルスが６分間隔で１０回）、通常は１又は２時間の休止期間が続く。休止期間によって上昇したインスリンレベルがベースラインに戻ることが可能になる。インスリンが注入されていない期間、静脈内部位は、好ましくはヘパリン又は食塩水ロックに切り替わる。所望の効果が得られるまで手順全体が繰り返される。典型的には、手順は各治療日に３回繰り返されるが、１日２回程度でも８回まで繰り返し得る。クリニックにしても家庭環境にしても患者が手順から解放される前に、好適実施態様においては、循環グルコースレベルが約３０〜４５分間１００〜２００ｍｇ/ｄｌで安定している。
【００２１】
従って、本発明は、ピルビン酸デヒドロゲナーゼ活性を高めることにより網膜又は神経グルコース酸化を亢進させ、よって糖尿病患者と非糖尿病患者のいずれにおいても網膜症や中枢神経系障害を治療するために用いられる装置である。網膜又は神経グルコース酸化をモニターする方法は、ＰＥＴ（ポジトロン放射型断層撮像）スキャンである。また、糖尿病網膜症の安定化/逆転を探索することもできる。神経機能の点では、末梢神経ニューロパシーが改善され、感覚の増加、特に足の感覚の増加、及び足の疼痛の『灼熱感』又は『ぴりぴりちくちく感』の消失として現れる。また、自律神経ニューロパシー、特に軽症胃アトニーの改善や起立性血圧降下症が改善される。
糖尿病性心臓病は、糖尿病１型患者も２型患者も罹る糖尿病の一般的な合併症の１つである。正常な心臓も糖尿病の心臓も一次燃料は、燃料としてグルコースより１カロリーに対して多くの酸素が必要である燃料である遊離脂肪酸であることは専門家によりほぼ一致している。結果として、糖尿病患者も非糖尿病の個人も心臓は虚血に特に抵抗力がない。関係する組織がエネルギー生成に遊離脂肪酸を主に利用した場合には、血流又は酸素供給のわずかな減少又は一時的な減少でさえ破局的である。一方、その組織が等価量のエネルギーの生成に遊離脂肪酸よりグルコースを酸化した場合には、血液又は酸素供給の一時的な破壊は、その組織の酸素の要求が少ないので有害ではない。従って、心筋に送達される酸素量が同じ場合には、遊離脂肪酸利用よりむしろグルコース利用により高エネルギー（ＡＴＰ）生成がもたらされる。本装置は、より多くのグルコースが燃焼又は酸化することを可能にし、糖尿病患者も非糖尿病患者も心臓病や心臓血管疾患に伴う遊離脂肪酸の利用について補正することにより食事燃料処理能力を改善することができる。
【００２２】
更に、本発明は、糖尿病患者にも非糖尿病患者にも、代謝過程全体を神経脈管反応性、糸球体内圧及び血行動態に対する作用の多重性によって改善し、明白な糖尿病腎症の進行を抑制し、糸球体内血行動態を改善して糖尿病腎症の進行を抑制するとともにＥＳＲＤ発症の危険を低下させることができる装置である。
更に、本発明は、糖尿病患者にも非糖尿病患者にも、罹患した領域でのグルコース酸化を亢進させ、よって創傷を治療するためにその酸素を送達しつつより多くのエネルギーを供給し、治癒を促進し、切断を回避することができる装置である。この治癒改善の理論的根拠は、罹患した領域を取り囲んでいる組織の血液供給が不十分であり、よって酸素化が不十分になることである。この組織が遊離脂肪酸利用の代わりに高グルコース酸化によって燃料を供給し、よって主に脂質系燃料体系からグルコース酸化に基づくものにスイッチを切り換えた場合、同量の血流の創傷治癒に、つまり送達された酸素量から治癒のために、多くのエネルギーが利用できる。更に、少ない酸素から多くのエネルギーを得る能力が、エネルギーレベルが正常より低い糖尿病個体と関連がある全身倦怠に対しても向けられる。
【００２３】
多くの場合、痴呆だけではなく、糖尿病に罹患している患者は、本発明の装置により治療される。痴呆は、脳におけるグルコースの不十分な代謝（これは、血液の制限された流れでもある）に関連しているようである。この乏しい代謝は、少なくとも、一部は、痴呆の原因である。老人性痴呆に罹患している患者に本発明の装置を使用すれば、痴呆に関連する、混乱、脱力感、失見当識、認識機能、及び記憶の欠如における改善、並びに、血糖制御における改善が明らかに示される。脳への抑制された流れは、また、糖尿病に罹患していない痴呆患者に多く、本発明の装置により、これらの患者にも、改善された代謝を提供し、従って、糖尿病に罹患している痴呆患者及び罹患していない痴呆患者の両者を治療するのに有効である。
【００２４】
新規な患者による好適実施態様においては、最初の週に、３回の治療を２日連続して行う。継続中の患者の場合、手順は１週間に１回行われる。更に徹底的な方法が必要な患者に対しては、所望の臨床成果が得られるまで連続、週毎を含む３回以上手順を繰り返すことができる。
次の限定されない実施例は、具体的な説明のためにのみ示されるものである。
【実施例】
【００２５】
実施例１
１型糖尿病（ＤＭ）の患者において糖尿病腎症の進行に対するＣIIIＴの影響を評価するために調査を行った。この１８ヶ月の多施設前向き管理下治験（multi-center prospective, controlled study）には、糖尿病対照合併症治験（ＤＣＣＴ）集中治療（ＩＴ）法を行う４９人の腎症の１型ＤＭ患者が採用された。これらのうち、２６人の患者は、対照グループＣであり、ＩＴが継続され、２３人の患者は、治療グループ（Ｔ）であり、ＩＴのほかに毎週ＣIIIＴを受けた。治験患者はすべて１８ヶ月間毎週クリニックに行き、毎月グリコヘモグロビンＨbＡ１cを検査し、３ヶ月毎に尿タンパク排出とクレアチニンクリアランス（ＣrＣl）を測定した。ＣrＣlは予想されたように両グループとも著しく低下したが、ＴグループのＣrＣl傾斜速度（2.２１±1.６２ｍｌ/ｍｉｎ/ｙｒ）はＣグループ（7.６９±1.８８ｍｌ/ｍｉｎ/ｙｒ、Ｐ＝0.０３４３）より著しく低かった。腎症が明らかな１型ＤＭ患者のＩＴにＣIIIＴを加えた場合、糖尿病腎症の進行を著しく抑えることが明らかであるということが結論される。
【００２６】
実施例２
２２年以上１型糖尿病をもつ中年女性がポリニューロパシーに罹った。彼女は、汎発性疼痛をもち、痛みのために歩くこともストッキングをはくことさえもできなかった。本装置で治療した後、女性がローラーブレーディングのような厳しい運動を楽しむ点まで疼痛が減弱した。
【００２７】
実施例３
３０年以上１型糖尿病をもつ中年女性は、重い末梢神経障害をもち、膝より下の疼痛が絶えず、一晩中眠れなかった。本装置で治療した後、彼女はもはや疼痛の薬剤を用いず、下肢に劇痛がない。彼女は、８年間この治療法を用いている。
【００２８】
実施例４
１７年間２型糖尿病をもつ中年女性が重い拡張型心筋症（駆出分画１４〜１９％）に罹っていた。彼女を心臓移植を受けるリストに載せた後に本装置で治療を開始した。治療を受けた後、患者は１５０単位/日から２４〜２６単位/日にインスリン摂取が減少し、心臓移植をもはや必要としない点まで安定し、実際に心臓移植リストからはずした。患者は９年間治療を受け、心臓移植手術リストにまだ載っていない。彼女の駆出分画は、現在２９〜３２％である。
【００２９】
実施例５
３８年間１型糖尿病をもつ中年男性が黄斑変性（網膜症）に罹った。彼は、夜の運転ができなかった。本装置で治療した後、夜の運転が問題ない点まで視力が回復した。患者は、４年間治療を受けている。
【００３０】
実施例６
中年男性の２型糖尿病患者は、うっ血性心不全を含む重い心臓病と重い動脈硬化心臓病であった。心臓手術の予定があったが、患者の状態が悪いために外科医が手術を拒否した。本装置を用いた後、４血管バイパス手術に耐え得ることを医師が納得した。患者は、彼の段階の心臓病をもつ糖尿病患者としてはほとんど前例がなく、術後正常に回復した。
【００３１】
実施例７
高齢者男性の２型糖尿病患者は、３〜４回の注入/日の皮下インスリンを含む強いインスリン治療によって優れた循環グルコース制御を受けていた。それでさえ、糖尿病性腎臓病は、１５００ｍｇのタンパクを２４時間放出し、増加速度が５００ｍｇ/２４時間/年である点まで進行した。本装置を用いた後、患者のタンパク尿は６００〜８００ｍｇ/２４時間まで低下した。彼は、装置を５年間用いている。
【００３２】
実施例８
５歳から糖尿病の高齢者１型糖尿病患者は、糖尿病性心臓病を直すために冠状動脈バイパス移植の予定があった。外科医は、彼女が進行性糖尿病性動脈硬化の状態にあるために手術しなかった。彼女は、１回の血管移植の予定があった。本装置を用いた後、彼女の状態は、医師が１回の移植の代わりに２回行う点まで回復した。彼女は、正常に回復した。彼女は、手術後、糖尿病性心臓病が更に悪化せずに数年間本装置を用いることを続けている。
【００３３】
実施例９
自律神経ニューロパシーに罹っている２型糖尿病高齢者男性は、毎日３〜４回の皮下インスリン注射の徹底的なインスリン治療を用いて循環グルコースを調節する厳しいプログラムにもかかわらず２００/１２０の非常に高い血圧が読み取られた。本装置を用いた結果として、彼の血圧は１２０/８０に降下した。彼は、５年間装置を用いている。
【００３４】
実施例１０
２型糖尿病の高齢者男性は、一方の下肢が糖尿病関連潰瘍の結果として切断した。彼は、利用できる治療に応答しないもう一方の下肢に潰瘍を発症し、切断のためにもう一方の下肢を失う危険があった。本装置を用いる結果として、第２の下肢の潰瘍が治癒し、切断から救われた。この患者は、数年間本装置を用い、更に潰瘍は生じなかった。
【００３５】
実施例１１
中年の１型糖尿病患者は、利用できる治療により治癒しない両下肢に重い潰瘍を発症した。本装置を用いた結果として、潰瘍が治癒し、ぶり返さなかった。患者は、本装置を現在１３年間使っている。
【００３６】
実施例１２
中年男性の２型糖尿病患者は、出血の激しい増殖性糖尿病網膜症であった。多回光凝固術瘢痕は、追加の光凝固術を不可能にした。本装置を用いた結果として出血が止まり、網膜が更に悪化せず、残った視力が維持された。患者は、本装置を５年間用い、更に出血もなく、光凝固術もしなかった。
【００３７】
実施例１３
年配女性の２型糖尿病患者は、歩くことができずホイールチェアを用いている点まで重い疼痛性末梢神経ニューロパシーであった。本装置を用いた６ヶ月後、ホイールチェアを用いない点まで疼痛が止んだ。財政上の理由のために、治療を止めた。結果として、ニューロパシーがぶり返し、ホイールチェアを用いるまでにぶり返した。
【００３８】
実施例１４
中年女性の１型糖尿病患者は、重いニューロパシーであった。２年前に本装置を使う前の自律ニューロパシーにより母親は、寝たきりであった。彼女の筋肉は萎縮し、食物を消化することができず、糖尿病の結果として神経が死にかけていると言っていた。彼女に２人の子供がいなかったら、自殺したと彼女は述べた。彼女は仕事をやめなければならず、身体障害になり、非常にしばしば病院と無関係の状態であった。彼女は、頭に膨疹があり、毛髪喪失の原因となった。彼女は、足の感覚がなく、吐き気が絶えず、疼痛のために夜は眠ることができなかった。彼女は、インスリンの吸収に問題があり、体内へのインスリンの吸収を改善する異なる方法をすべて試した。その方法にインスリンの最良の吸収を得たと彼女が感じたために長年筋肉内に彼女自身注射してきた。本装置を用いたので、障害が除かれかつ有利に用いられる点まで病気のすべてが逆転した。それ以来、彼女は入院しなかった。彼女の下肢のしびれ感は消えた。彼女が治療を１週間さぼる場合には、彼女の下肢にしびれ感が戻ると感じることができる。彼女の急性軽症胃アトニーは逆転し、もはや症状に苦しまない。本装置を用いることを除いては、彼女は現在医療費がかかっていない。
【００３９】
実施例１５
進行した老人性痴呆を患っている７９才の女性患者は、過剰な混乱、脱力感、失見当識及び記憶の欠如のため、老人ホームに収容されていた。老人ホームは、彼女の糖尿病血糖調整のため患者に必要な、厳密な４ショット治療に対応していなかったので、患者の子供は、患者を老人ホームから移した。看護医師は、肝臓活性化（Hepatic Activation）を薦めた。一旦患者は、活性化されると、彼女は、自立した生活スタイルに完全に戻った。彼女は、運動技能、記憶、及び認識機能に優位な改善があった。肝臓活性化は、老人性痴呆に対して良好な効果を明らかに示していた。
【００４０】
上記で挙げた例のすべてについて、最初の数日の治療後、患者は週１回治療を受け、各治療日は炭水化物の経口摂取に付随して３回のインスリン注入からなるものであった。インスリンを注入するために用いられるポンプ装置は、循環グルコースに対するセンサーを含まない図１に記載されるバイオニカＭＤ-110ポンプであった。典型的には、１時間に１０回のパルスを投与し、インスリンの注入の間に１時間の休止期間を取った。炭水化物が経口摂取される形は、時々変化し、パンやケーキを含むがこれらに限定されない高血糖の食品の摂食を包含した。患者の循環グルコースは、ほとんどの糖尿病患者が現在用いているフィンガースティック法によって３０分毎に１回測定した。循環グルコースは、はじめは各治療中に上昇し、次に各々の一連のインスリン注入で５０〜１００ｍｇ/ｄｌ降下し、実際に肝臓が活性化したことを意味した。下表は、投与したパルスに対するインスリン単位数と各々の一連のパルスに対して摂取したグルコースの量を上記実施例によって纏めたものである。
【００４１】
2008272503.tif 000003
【００４２】
* この治験には可変量のインスリン/パルスと可変摂取グルコースによる治療グループの２３人の患者が含まれている。つまり、用いたものの一般限界が含まれている。
【００４３】
本明細書に記載される好適実施態様は、例示にすぎず、示された実施例は多くの具体性を含んでいるが、本発明の若干の可能な実施態様のみを例示するものである。他の実施態様と変更は、おそらく当業者に見出されるものである。示された実施例は、単に本発明の好適実施態様の一部を例示するものとして解釈されるべきであり、本発明の完全な範囲は、前述の特許請求の範囲とそれらの法的均等物によって決定されるべきである。
【図面の簡単な説明】
【００４４】
【図１】注射器プランジャ型メカニズムを用い、本発明に従ってインスリンを送達するようにプログラムされたプログラム可能なインスリンポンプの略ブロック図である。
【図２】回転するプランジャメカニズムをもち、本発明に従ってインスリンを送達するようにプログラムされたプログラム可能なインスリンポンプの略ブロック図である。
【図３】一連のインスリンパルスにおける、時間と、血中のインスリン濃度との相関を示す図である。
【符号の説明】
【００４５】
１０…ニードル
１１…注射器
１２…ディスプレイパネル
１３、１４…クリップ
１５…プランジャ
１６…注射器ドライバ
１７…キーボード
１８…コミュニケーションズリンク
１９…注入チューブ
２０…注入ニードル
２１…注入チューブ
２２…カートリッジ
２３…プランジャ
２４…ハウジング
２５…プランジャ
２６…ギアリンケージ
２７…レザバー領域
２８…モータ
２９…ポンプ装置
３０…コミュニケーションズリンク
【図１】
2008272503.tif 000004
【図２】
2008272503.tif 000005
【図３】
2008272503.tif 000006